(57)【要約】【課題】払込書の払込人住所氏名欄に住所氏名が記入されているかどうかの判定を誤ることを防止する帳票取扱装置を提供する。【解決手段】帳票・冊子類取扱ユニット１０１は、払込書２７を取り込み搬送する搬送路４０と、走行する前記払込書２７のイメージを読み取る文字認識用ＯＣＲスキャナ部７と、この文字認識用ＯＣＲスキャナ部７から出力されるデータを認識する制御部１０５とを備える。また、この制御部１０５は、前記払込書２７の払込人住所氏名欄に記入された住所氏名３１ａの外接矩形の面積を求め、この値が住所氏名ありと判定することの不可能な判定値Ａと可能な判定値Ｂの間にある場合、操作者が住所氏名の有無を判定できるようにし誤判定による取引やり直しを防止した。【選択図】  図２
2005011163.tif 000002
【特許請求の範囲】
【請求項１】
払込書を取り込み搬送する搬送路と、
この搬送路に配置され、前記払込書のイメージを読み取るスキャナ部と、
このスキャナ部から出力されるデータから前記払込書の払込人住所氏名欄に記入された住所氏名の外接矩形の面積を求め、これを設定値と比較することにより住所氏名の記入有無を判定する制御部と、
を有することを特徴とする帳票取扱装置。
【請求項２】
払込書を取り込み搬送する搬送路と、
この搬送路に配置され、前記払込書のイメージを読み取るスキャナ部と、
このスキャナ部から出力されるイメージデータを表示すると共にデータの入力可能な表示手段と、
前記払込書の払込人住所氏名欄に住所氏名を印字する印字部と、
前記スキャナ部から出力されるイメージデータから前記払込書の払込人住所氏名欄に記入された住所氏名の外接矩形の面積を求め、この面積を複数の設定値と比較することにより住所氏名の記入有無を判定し、住所氏名の記入なしと判定されたとき前記表示手段から入力した住所氏名を前記印字部で前記払込書の払込人住所氏名欄に印字する制御部と、
を有する帳票取扱装置。
【請求項３】
前記複数の設定値は、
少なくとも、前記住所氏名の外接矩形の面積が住所氏名の記入ありと判定することが不可能な設定値である第１の判定レベルと、
前記住所氏名の外接矩形の面積が住所氏名の記入ありと判定することが可能な設定値である第２の判定レベルと、
を有し、
前記制御部は、前記外接矩形の面積を第１の判定レベル以下、第１の判定レベルと第２の判定レベルの間、及び第２の判定レベル以上に区分することを特徴とする請求項２に記載の帳票取扱装置。
【請求項４】
前記制御部は、
前記外接矩形の面積が前記第１の判定レベル以下の場合、住所氏名の記入なしと判定し、
前記第１の判定レベルと前記第２の判定レベルの間の場合、前記スキャナ部で読み取った前記払込人住所氏名欄のイメージデータを前記表示手段に表示すると共に、操作者に住所氏名の記入有無の入力を促し、
前記第２の判定レベル以上の場合、住所氏名の記入ありと判定することを特徴とする請求項３に記載の帳票取扱装置。
【請求項５】
前記制御部は、
前記外接矩形の面積が前記第１の判定レベル以下、又は前記第１の判定レベルと前記第２の判定レベルの間にあって前記払込人住所氏名欄のイメージデータから操作者が住所氏名を記入なしと入力した場合、操作者が郵便番号を入力することによって所定の住所までを前記表示手段に表示し、番地部分を前記表示手段から入力して作成した住所を前記印字部で前記払込書に印字することを特徴とする請求項４記載の帳票取扱装置。
【発明の詳細な説明】
【０００１】
【発明の属する技術分野】
本発明は、払込書を扱う帳票ユニット、または帳票と通帳を取り扱う帳票・冊子類取扱ユニットなどの帳票取扱装置に関する。
【０００２】
【従来の技術】
近年、払込書を取り扱う帳票ユニット、または帳票と通帳を取り扱う帳票・冊子類取扱ユニットを組み込んだ帳票取扱装置が実用化している。
【０００３】
従来の帳票取扱装置では払込書の払込人住所氏名欄に操作者が記入しなければ取引ができなかった。従って、払込書の払込人住所氏名欄に住所氏名が記入されているかどうかをＯＣＲスキャナで読み取り、読み取ったデータを住所氏名が記入されているかどうかを判別するための判別基準と比較判定していた。そして、住所氏名が記載されていないと判定された場合当該払込書を操作者に返却していた。
【０００４】
また、払込書の払込人住所氏名欄に手書き記入する手間を改善するため、カード・通帳などの媒体の情報を基に、顧客データベースを参照し、払込人の住所氏名を支払請求書または申込書に印字する手段を備えることにより、記入不備による取引をやり直す手間、又は操作者が住所氏名を手書きで記入する手間を解消する方法が知られている（例えば、特許文献１参照。）。
【０００５】
【特許文献１】
特開２００１―２５０１４７号公報（第１頁、図１）
【０００６】
【発明が解決しようとする課題】
しかしながら従来の帳票取扱装置では払込人住所氏名欄の住所氏名を操作者が手書きで記入するため、払込人住所氏名欄に適切に住所氏名が記入されていない帳票が出回ることがあるという問題がある。また、払込書の払込人住所氏名欄に住所氏名が記入されているかどうかをスキャナで読み取り判定する際、判定基準を厳しくすると返却が多発し、判定基準を緩めると未記入の払込書を受け付けてしまうという問題があった。
【０００７】
これに対して、上記特許文献１記載の方法は住所変更が必要なカードまたは通帳の場合、旧住所を印刷してしまう不具合がある。さらに、顧客デーベースの構築には多大な設備投資を行う必要があるという問題があった。
【０００８】
そこで本発明は、払込書の払込人住所氏名欄をスキャナで読み取り、当該払込人住所氏名欄に記入されている住所氏名の外接矩形の面積を設定値と比較して判定し、その判定結果によって払込人住所氏名欄に記入があるかどうかを判定する帳票取扱装置を提供することを目的とする。
【０００９】
【課題を解決するための手段】
本発明は上記目的を達成するために、払込書を取り込み搬送する搬送路と、この搬送路に配置され、前記払込書のイメージを読み取るスキャナ部と、このスキャナ部から出力されるデータから前記払込書の払込人住所氏名欄に記入された住所氏名の外接矩形の面積を求め、これを設定値と比較することによって住所氏名の有無を判定する制御部とを有することを特徴とする。
【００１０】
【発明の実施の形態】
以下、本発明の実施の形態について図面を参照して説明する。
【００１１】
図１は、本発明の実施の形態に係る、通帳・冊子類取扱ユニット１０１を搭載した自動預払装置９９の外観図である。
【００１２】
なお、本発明の帳票取扱装置としては、払込書を扱う帳票ユニット、または払込書と通帳を扱う通帳・冊子類取扱ユニットの何れであってもよいのは勿論である。また、本発明の実施の形態の帳票取扱装置は、上記帳票ユニット又は通帳・冊子類取扱ユニットにイメージデータを表示すると共にデータが入力可能な表示部を含んでいてもよいが、後述する自動預払装置の操作パネルのような表示部と通帳・冊子類取り扱いユニットとを組み合わせたものでもよい。
【００１３】
自動預払装置９９は、カードユニット１００と、本発明の実施の形態の通帳・冊子類取扱ユニット１０１と、紙幣を入出金するための紙幣ユニット１０２と、操作パネル１０３と、硬貨を入出金するための硬貨ユニット１０４と、総合制御部（図示しない）とで構成される。
【００１４】
次に、図２を参照して本発明の実施の形態の一部である通帳・冊子類取扱ユニット１０１の構成を説明する。
【００１５】
通帳・冊子類取扱ユニット１０１は、払込書又は通帳からなる媒体の出入口である出入口２と、この出入口２から挿入された媒体を図示矢印Ａ方向に搬送する主搬送路４０を有している。そして、この主搬送路４０に沿って出入口２から、磁気リード・ライト部３及び通帳収納部４と、通帳ページ捲り・幅寄せ部５と、後に詳述するＰＬＤ検知部６と、文字認識用ＯＣＲスキャナ部７と、印字部８と、払込書を収納する上段収納庫９及び下段収納庫１０とが配置されている。さらに、これらを制御する主制御部１０５と、媒体を挟持して搬送するための複数の搬送ローラ５０〜５５と、電源部（図示しない）とで構成される。
【００１６】
出入口２は、通帳又は払込書が挿入されたり、放出されるところである。
【００１７】
磁気リード・ライト部３は、磁気ヘッド３ａ、磁気ヘッドドライバ（図示しない）、及び通帳押さえローラ（図示しない）で構成されており、磁気ヘッド３ａと通帳押さえローラで搬送される通帳の磁気ストライプ部を押圧し、通帳の磁気ストライプを磁気ヘッド３ａに接触させ、磁気ストライプの磁気データをリード／ライトする。このようにして読み取られた磁気データは、主制御部１０５へ通知される。
【００１８】
通帳ページ捲り・幅寄せ部５は、ページ捲り機構と幅寄せ機構から構成される。通帳ページ捲り機構は、通帳に印字するための印字行が同一ページに不足した場合に自動的にページ捲りを行う。また、幅寄せ機構は、通帳の位置ずれによる磁気ストライプの誤読、誤書き込みが発生するのを防止するため、搬送される通帳を片側に整位する。
【００１９】
ＰＬＤ検知部６は、ＬＥＤ照明とモノクロＣＣＤ（ラインセンサ）からなり、搬送される通帳端部に印刷されている通帳のページマーク、印字済行、及び印字濃度を読み取る。また、その読み取ったデータと、通帳のページマークデータから現在開いている通帳のページを判別し、主制御部１０５へ通知する。
【００２０】
文字認識用ＯＣＲスキャナ部７は、照明部とカラーＣＣＤ（ラインセンサ）からなり、搬送される通帳又は払込書のイメージデータを読み取り、その読み取ったデータを主制御部１０５へ通知する。
【００２１】
上段収納庫９及び下段収納庫１０は、媒体処理の終了した払込書１８が収納されるところである。
【００２２】
主制御部１０５は、制御部であるＣＰＵと、データ処理回路と、メモリーと、上記各構成ユニットとのＩ／Ｆ（インターフェース）で構成され、ＣＰＵは帳票・冊子類取扱ユニット１０１の全体的な制御、及び各種の演算処理を実行し、この演算処理結果を自動預払装置９９の総合制御部（図示しない）に伝送する。
【００２３】
総合制御部は、カードユニット１００、帳票・冊子類取扱ユニット１０１、紙幣ユニット１０２、操作パネル１０３及び硬貨ユニット１０４と相互に通信を行い、自動預払装置９９を制御する。また、この総合制御部は、図示していない外部とのＩ／Ｆを有し、外部との通信を行う。
【００２４】
なお、帳票・冊子類取扱ユニット１０１で使用される媒体には複数種類の通帳及び払込書が存在する。そこで、本発明の実施の形態で使用する通帳の一例を図３及び図４を参照して説明する。通帳には図３に示す綴じ目が縦方向の縦通帳２０と、図４に示す綴じ目が横方向の横通帳２３が存在する。上述した縦通帳２０の下面には通帳のページを示すページマーク２１が印刷され、さらに磁気ストライプ２２が貼り付けられている。また、横通帳２３の上面にはページマーク２４が印刷され、下面には磁気ストライプ２５が貼り付けられている。
【００２５】
また、本発明の実施の形態で使用する払込書の一例を図５を参照して説明する。払込書２７には払込先口座番号２８ａ、２８ｂ、金額２９ａ、２９ｂ、払込先名称（図５の加入者名）及び払込人住所氏名欄３０ａ、３０ｂへの住所氏名の記入などの払い込みに必要な情報が手書き又は印刷によって書き込まれている。
【００２６】
自動預払装置９９の各ユニットの構成は以上の通りである。次に、本発明の実施の形態の主要な部分である通帳・冊子類取扱ユニット１０１の動作を通帳処理と払込処理の場合について図１〜図６を参照して説明する。
【００２７】
（通帳処理）
自動預払装置９９で通帳処理を行う場合、表示手段とタッチパネルなどの入力手段を兼ねた操作パネル１０３により、画面ガイダンス、音声ガイダンスなどの指示に従い、例えば、通帳記入などの取引を選択する。この通帳記入取引が選択されると、操作パネル１０３には通帳挿入の画面ガイダンスが行われる。ここで操作者が通帳（例えば、図３に示す縦通帳２０）を通帳・冊子類取扱ユニット１０１の出入口２から図示矢印「挿入方向」に挿入すると、この出入口２に配置したセンサ（図示しない）に検知され、搬送ローラ５０が回転し、当該縦通帳２０を図示矢印Ａ方向に搬送して機体内に取り込む。
【００２８】
取り込まれた縦通帳２０は、搬送ローラ５１乃至５４によって挟持搬送され幅寄せ機構（図示しない）によって搬送方向に向かって右側に寄せられて磁気リード・ライト部３によって当該縦通帳２０の磁気ストライプ２２からデータが読み取られる。読み取られた磁気データは通帳・冊子類取扱ユニットの主制御部１０５に通知される。
【００２９】
次に、ＰＬＤ検知部６によって現在開かれているページのページマーク２１が読み取られる。読み取られたデータは磁気データ同様主制御部１０５に通知される。
【００３０】
次に、主制御部１０５は、先に読み取った当該縦通帳２０の磁気ストライプ２２に記録されていたページとＰＬＤ検知部６で読み取ったページマーク２１のページが一致するかどうかを検証する。この検証の結果一致した場合、総合制御部を介して外部のセンター（図示しない）とのオンライン伝送を行い、当該口座についての記帳データを入手し、そのデータを帳票・冊子類取扱ユニット１０１の主制御部１０５へ送信して印字部８で通帳に印字を行う。また、上記印字時、ページを捲って印字する必要がある場合、通帳ページ捲り・幅寄せ部５によって通帳のページが捲られ、必要な印字が行われる。
【００３１】
このようにして、所定の印字を終了すれば通帳を搬送方向上流に搬送（逆搬送）しＰＬＤ検知部６で印字濃度を確認する。この印字濃度確認の結果、印字濃度が所定値に入っている場合、当該縦通帳２０は出入口２に排出される。以上が通帳に記帳する場合の通帳処理である。次に、払込処理の説明を行う。
【００３２】
（払込処理）
自動預払装置９９で払込処理を行う場合、表示手段とタッチパネルなどの入力手段を兼ねた操作パネル１０３により、画面ガイダンス、音声ガイダンスなどの指示に従い、例えば、払込取引を選択する。この払込取引が選択されると、操作パネル１０３には払込書挿入の画面ガイダンスが行われる。ここで操作者が払込書（例えば、図５に示す払込書２７）を通帳・冊子類取扱ユニット１０１の出入口２から挿入すると、この出入口２に配置したセンサ（図示しない）に検知され、搬送ローラ５０が回転し、当該払込書２７を図示矢印Ａ方向に搬送して機体内に取り込む。
【００３３】
取り込まれた払込書２７は、搬送ローラ５１乃至５５によって挟持搬送され文字認識用ＯＣＲスキャナ部７の読み取り面通過時に文字認識用ＯＣＲスキャナ部７のカラーＣＣＤによって読み取られる。読み取られたイメージは、文字認識部（図示しない）によって、払込先口座番号２８ａ、２８ｂ及び金額２９ａ、２９ｂなどの文字認識が行われ、さらに、払込人住所氏名欄３０ａ、３０ｂなど記入の必要な箇所への記入の有無、及び払込書の種別等が判定される。
【００３４】
この判定の結果は、払込先口座番号２８ａ、２８ｂなどの読み取られたイメージと文字認識された結果が上下に並んで操作パネル１０３に表示される。操作者が文字認識内容に問題ないことを確認するために操作パネル１０３上の必要なキーを押すことにより、紙幣ユニット１０２、硬貨ユニット１０４などの現金を取り扱うユニット、又はカードによる入金の場合はカードユニット１００へのカード挿入が指示され、払込書２７に示された払込先口座２８ａ、２８ｂへの払い込み処理が行われる。
【００３５】
なお、払込人住所氏名欄３０ａ、３０ｂに破線で示した住所氏名有無チェック対象領域３１ａ、３１ｂ内に記入された住所氏名３２ａ、３２ｂが後述する図７に示す方法によって判定される。
【００３６】
その後、払込書２７は印字部８に搬送され受付局日付印３４ａ、３４ｂが印字される。
【００３７】
印字終了した払込書２７は、進行方向上流に搬送（逆搬送）され文字認識用ＯＣＲスキャナ部７で読み取られ、文字認識部（図示しない）で印字濃度を確認する。
【００３８】
この印字濃度確認の結果は主制御部１０５に伝送される。当該払込書２７はその様式により上段収納庫９又は下段収納庫１０に収納される。
【００３９】
次に、図７を参照して本発明の実施の形態の自動預払装置９９による払込取引の動作を説明する。
【００４０】
操作者が操作パネル１０３から払込取引を選択すると（Ｓ１）、総合制御部は、操作パネル１０３に「払込書をお入れ下さい」の表示を行う（Ｓ２）。操作者が指示に従って帳票・冊子類取扱ユニット１０１の出入口２に払込書２７を挿入すると（Ｓ３）、払込書２７は機体内に取り込まれ文字認識用ＯＣＲスキャナ部７によって所定箇所のイメージが読み取られる（Ｓ４）。
【００４１】
読み取られたイメージは、文字認識部（図示しない）によって払込先口座番号２８ａ、２８ｂ、金額２９ａ、２９ｂなどの文字認識が行われる（Ｓ５）。
【００４２】
上記文字認識の結果ＯＫ（Ｓ６のＹｅｓ）であれば払込人住所氏名欄３０ａ、３０ｂ以外のチェックが行われる（Ｓ７）。すなわち、文字認識部は、払込人住所氏名欄３０ａ、３０ｂ内に設定した住所氏名有無チェック対象領域３１ａ、３１ｂに記入されている住所氏名３２ａ、３２ｂの外接矩形３３ａ、３３ｂの面積Ｘａ、Ｘｂを計算し、数式（１）によって住所氏名３２ａ、３２ｂの記入文字に関する判定を行う（Ｓ８）。
【００４３】
Ｘ＞判定値Ｂ＞判定値Ａ  ・・・・・・・・・（１）
Ｘ：払込人住所氏名欄３０ａ、３０ｂに記入されている住所氏名３２ａ、３２ｂの外接矩形３３ａ、３３ｂの面積Ｘａ、Ｘｂの何れか大きい方の面積。
【００４４】
Ｘａ：外接矩形３２ａの面積。
【００４５】
Ｘｂ：外接矩形３２ｂの面積。
【００４６】
判定値Ａ：第１の判定レベルで、このレベル以下であると住所氏名ありと判定することが不可能な設定値でその値がＡであることを示す。
【００４７】
判定値Ｂ：第２の判定レベルで、このレベル以上であると住所氏名ありと判定することが可能な設定値でその値がＢであることを示す。
【００４８】
実施例では、外形矩形の面積Ｘａ、Ｘｂの２カ所の面積を個別に求め、大きい値を示す一方の値を外形矩形の面積Ｘとして取り扱う。その理由は、ＣＣＤの解像度が固定されている場合外形矩形の面積の大きい値を示す住所氏名の方が信頼性が高いためである。
【００４９】
判定の結果外接矩形の面積Ｘが判定値Ｂより大きい場合、払込人住所氏名欄３０ａ、３０ｂに住所氏名が記入されていることが確実であると判断できるため取引は正常に続行される（Ｓ２２）。
【００５０】
次に、判定の結果外接矩形の面積Ｘが判定値Ｂより小さい場合を図６を参照して説明する。図６の外接矩形３３ｃ、３３ｄの面積Ｘｃ、Ｘｄは図５の外接矩形３３ａ、３３ｂの面積Ｘａ、Ｘｂに比べて小さい。
【００５１】
この場合、総合制御部は払込人住所氏名欄３０ｃ、３０ｄのイメージ画像を操作パネル１０３に拡大して表示し（Ｓ９）、正しく記入されているかどうか入力することを操作者に促す内容のメッセージを表示する（Ｓ１０）。
【００５２】
操作者が確認し正しく記入されていると判断して「はい」ボタンを押下した場合（Ｓ１１）、数式（２）において外接矩形の面積Ｘが判定値Ａより大きいかどうかを判定する（Ｓ１２）。
【００５３】
判定の結果、外接矩形の面積Ｘが判定値Ａより大きい場合、すなわち数式（２）が成立する場合、払込人住所氏名欄３０ｃ、３０ｄに記入された住所氏名３２ｃ、３２ｄは文字は小さいが存在することが確実であり、操作者によって正しいと判断されたため取引は正常に続行される（Ｓ２２）。
【００５４】
判定値Ｂ＞Ｘ＞判定値Ａ・・・・・・・・・・・（２）
Ｘ：払込人住所氏名欄３０ｃ、３０ｄに記入されている住所氏名３２ｃ、３２ｄの外接矩形３３ｃ、３３ｄの面積Ｘｃ、Ｘｄの何れか大きい方の面積。
【００５５】
Ｘｃ：外接矩形３３ｃの面積。
【００５６】
Ｘｄ：外接矩形３３ｄの面積。
【００５７】
判定値Ａ：第１の判定レベルで、このレベル以下であると住所氏名ありと判定することが不可能な設定値でその値がＡであることを示す。
【００５８】
判定値Ｂ：第２の判定レベルで、このレベル以上であると住所氏名ありと判定することが可能な設定値でその値がＢであることを示す。
【００５９】
ここで、判定値Ａは、払込人住所氏名欄に何らかの記入があるが、それが帳票の印刷のはみ出しなのか、汚れなのか、それとも正しく記入されているが文字が小さいのか判断ができない値である。なお、判定値Ａより小さい場合（Ｓ１２のＮｏ）は払込人住所氏名欄に記入なしと判断されステップＳ１３以降に進む。
【００６０】
払込人住所氏名欄に記入なしと判断された場合、通帳・冊子類取扱ユニット１０１は「住所氏名を装置で印字しますか」と操作者に問い合わせる（Ｓ１３）。ここで「いいえ」が押下された場合（Ｓ１４のＮｏ）、挿入された払込書２７は出入口２から返却される（Ｓ２４）。
【００６１】
また、「はい」が押下された場合（Ｓ１４のＹｅｓ）、総合制御部は郵便番号入力画面を表示し（Ｓ１５）、郵便番号の入力待ち状態になる。ここで、郵便番号が入力されると（Ｓ１６）、郵便番号データベース（ＤＢ）から所定の住所までを画面に表示し（Ｓ１７）、番地の入力待ち状態になる。
【００６２】
次に、番地が入力されると（Ｓ１８）、さらに電話番号と氏名入力画面を表示し（Ｓ１９）、電話番号と氏名（カタカナ）の入力待ち状態になる。
【００６３】
次に、電話番号と氏名（カタカナ）が入力されると（Ｓ２０）、自動預払装置９９の総合制御部は、帳票・冊子類取扱ユニット１０１の主制御部１０５に住所氏名の印字が可能な状態にあることを通知する。
【００６４】
帳票・冊子類取扱ユニット１０１の主制御部１０５は、これら入力された住所氏名データを印字部８で払込書２７に印字する（Ｓ２１）。印字後取引は継続される。なお、上記印字のタイミングは取扱日時、取扱局などの印字が行われるときに同時に印字してもよい。
【００６５】
以上説明したように、上記実施の形態によれば、払込書の払込人住所氏名欄に記入された住所氏名の外接矩形の面積を穏やかな判定レベルである第１の判定レベル（判定値Ａ）と厳しい判定レベルである第２の判定レベル（判定値Ｂ）で判定する。その際、当該外接矩形の面積が判定値Ｂ以下の場合、住所氏名が記入されているかどうかの判断が自動預払装置によって困難であるため、イメージデータを操作パネルに表示して操作者によるイメージデータの判断結果の入力待ち状態にする。このようにすることによって、払込書の払込人住所氏名欄に住所氏名が記入されているかどうかの判定を誤ることによる取引のやり直しを防止することができる。
【００６６】
また、払込書の払込人住所氏名欄に住所氏名の記入なしと判断された場合、操作者の入力した郵便番号から郵便番号ＤＢを参照して所定の住所までを操作パネルに表示することによって操作者の住所入力を簡略化し、続けて番地を入力することで住所入力が完了する。この際、電話番号や氏名の入力ができ、これらを払込書の所定のエリアに印字できるのは言うまでもない。このように、払込書の払込人住所氏名欄の手書き記入の手間を改善した効率のよい帳票取扱装置を提供できる。
【００６７】
【発明の効果】
本発明の請求項１によれば、払込書の払込人住所氏名欄に住所氏名が記入されているかどうかの判定を誤ることを防止することができるため効率のよい帳票取扱装置を提供できる。
【００６８】
また、本発明の請求項２によれば払込書の払込人住所氏名欄に住所氏名の記入なしと判断された場合、操作者の入力した住所氏名データを印字することのできる帳票取扱装置を提供できる。
【図面の簡単な説明】
【図１】本発明の実施の形態に係る通帳・冊子類取扱ユニットを搭載した自動預払装置の外観図。
【図２】本発明の実施の形態に係る通帳・冊子類取扱ユニットの構成図。
【図３】通帳・冊子類類取扱ユニットで使用する縦通帳図。
【図４】通帳・冊子類類取扱ユニットで使用する横通帳図。
【図５】払込書に記入された払込人住所氏名の第１の例。
【図６】払込書に記入された払込人住所氏名の第２の例。
【図７】本発明の実施の形態に係る自動預払装置による払込取引の動作を示すフローチャート。
【符号の説明】
２  出入口
３  磁気リード・ライト部
４  通帳収納部
５  通帳ページ捲り・幅寄せ部
６  ＰＬＤ検知部
７  文字認識用ＯＣＲスキャナ部
８  印字部
９  上段収納庫
１０  下段収納庫
２０  縦通帳
２３  横通帳
２７  払込書
２８ａ、２８ｂ  払込先口座番号
２９ａ、２９ｂ  金額
３０ａ、３０ｂ、３０ｃ、３０ｄ  払込人住所氏名欄
３１ａ、３１ｂ、３１ｃ、３１ｄ  住所氏名有無チェック対象領域
３２ａ、３２ｂ、３２ｃ、３２ｄ  住所氏名
３３ａ、３３ｂ、３３ｃ、３３ｄ  外接矩形
３４ａ、３４ｂ  受付局日付印
９９  自動預払装置
１００  カードユニット
１０１  帳票・冊子類取扱ユニット
１０２  紙幣ユニット
１０３  操作パネル
１０４  硬貨ユニット
１０５  主制御部
【図１】
2005011163.tif 000003
【図２】
2005011163.tif 000004
【図３】
2005011163.tif 000005
【図４】
2005011163.tif 000006
【図５】
2005011163.tif 000007
【図６】
2005011163.tif 000008
【図７】
2005011163.tif 000009